(57)【要約】  シェービングエイド物質を貯蔵する一つの容器（２３）と、少なくとも一つ以上の剃刀刃（１８）を有する一つの剃刀カートリッジ（１６）と、剃刀カートリッジを第一位置と第二位置との間を選択的に移動するよう作動するバルブ（２６、１２６）とを含むシェービング装置を備える。第一位置において、バルブは容器からシェービングエイド物質を通過させる。第二位置おいて、バルブは実質的に容器からのシェービングエイド物質の通過を妨げる。【選択図】          図１
2007512928.tif 000002
【特許請求の範囲】
【請求項１】
シェービングエイド物質を貯蔵する一つの容器と、
少なくとも一つの剃刀刃を有する一つの剃刀カートリッジと、
剃刀カートリッジを第一位置と第二位置との間を移動させることにより選択的に作動するバルブと、
バルブは第一位置において容器からのシェービングエイド物質の通過を許可し、バルブは第二位置において実質的に容器からのシェービングエイド物質の通過を阻止し、
バルブは一つのバネ仕掛けのプラグ要素及び一つのオリフィスを含み、バネ仕掛けのプラグ要素とオリフィスとが共同して容器からのシェービングエイド物質の通過を許可する又は阻止し、バネ仕掛けのプラグ要素が軸に配置され、軸が軸方向に平行移動可能な一つのマニホルドをさらに含む、
シェービング装置。
【請求項２】
シール要素が軸に隣接する、請求項１記載のシェービング装置。
【請求項３】
バネ仕掛けのプラグ要素が一つのボールである、請求項１記載のシェービング装置。
【請求項４】
一つの剃刀カートリッジに共同して連結する一つのプラグ要素と、
プラグ要素を収容するための一つのオリフィスとを含み、
剃刀カートリッジが第一位置に配置する場合に、プラグ要素が容器からのシェービングエイド物質の通過を許可し、剃刀カートリッジが第二位置に配置する場合に、容器からのシェービングエイド物質の通過を阻止し、
プラグ要素がバネ仕掛けボールである、
シェービング装置用のバルブ。
【請求項５】
ボールが軸に配置される、請求項４記載のバルブ。
【請求項６】
軸が剃刀カートリッジに連結する、請求項５記載のバルブ。
【請求項７】
シェービングエイド物質を貯蔵する一つの容器と、
少なくとも一つの剃刀刃を有する一つの剃刀カートリッジと、
剃刀カートリッジを第一位置と第二位置との間を移動させることにより選択的に作動するバルブと、
第一位置において容器からのシェービングエイド物質の通過を許可し、第二位置において実質的に容器からのシェービングエイド物質の通過を阻止し、
バルブは弾性的な折り畳み式の導管及びゲートを含み、容器からのシェービングエイド物質の流出を阻止するために、第一位置においてゲートは通常は導管に対しバイアスしており、第二位置に選択的に移動し導管を介する容器からのシェービングエイド物質の流出を許可する、
シェービング装置。
【請求項８】
導管が一つの管である、請求項７記載のシェービング装置。
【請求項９】
ゲートが一つのリーフスプリングである、請求項７記載のシェービング装置。
【請求項１０】
一つの剃刀カートリッジに共同して連結する一つのプラグ要素と、
プラグ要素を収容するための一つのオリフィスとを含み、
剃刀カートリッジが第一位置に配置する場合に、プラグ要素が容器からのシェービングエイド物質の通過を許可し、剃刀カートリッジが第二位置に配置する場合に、容器からのシェービングエイド物質の通過を阻止し、
プラグ要素が第二平面により係合する第一平面を含む、
シェービング装置用のバルブ。
【請求項１１】
第一平面と第二平面との係合が剃刀カートリッジに連結するスプリングの動作により影響を受ける、請求項１０記載のバルブ。
【発明の詳細な説明】
【技術分野】
【０００１】
発明の分野
本発明は、一般的にシェービング装置に係わり、特にシェービングエイド物質を送出するピボット作動付きバルブを有するシェービング装置に関する。
【背景技術】
【０００２】
皮膚表面を除毛する一般的なプロセスは、シェービングエイド物質を皮膚表面に塗布するステップとは別に、安全剃刀を用いて皮膚表面を剃毛するステップを含める。安全剃刀は、再利用可能なハンドルに装着される使い捨て型剃刀カートリッジ、又はハンドルとカートリッジとが一体化し使い捨て型のユニットを含める。大部分の剃刀カートリッジは、一つのフレーム、少なくとも一つの剃刀刃、及びフレームに連結する追加シェービングエイド物質を含む一つの構成要素を含める。追加シェービングエイド物質には、通常シェービング操作を促進するための少なくとも一つの適切な物質（例えば、平滑剤、抵抗減少剤、脱毛剤等）を含む。  
【０００３】
シェービングの準備段階に適用されるシェービングエイド物質は、一般的に泡立てた石鹸をベースとした成分であり、皮膚表面に塗布される。成分は事前に泡立てられクリームとして塗布されるか、又は棒状でありシェーブする人が擦って皮膚表面に塗布する。クリーム又は棒状の何れの形態にしても、シェービングエイドの塗布と皮膚表面の実際の剃毛とは別のステップとして実施される。
【発明の開示】
【発明が解決しようとする課題】
【０００４】
剃刀組立体の商業的成功は、剃刀組立体を使用するシェービングプロセスの簡便化に依存する。特に、シェービングエイド物質の塗布と実際の剃毛が別のステップで実施されることは、シェービングプロセスの全体的効率にしばしば悪影響を及ぼす。したがって、シェービングエイド物質の送出とシェービング操作とをシングルステップで実施する装置が必要となる。  
【課題を解決するための手段】
【０００５】
本発明は、シェービングエイド物質を貯蔵する容器と、少なくとも一つの剃刀刃を有する剃刀カートリッジと、剃刀カートリッジを第一位置と第二位置との間を移動するよう選択的に作動するバルブとを含むシェービング装置を備える。第一位置において、バルブは容器からのシェービングエイド物質の通過を許可し、第二位置において、バルブは容器からのシェービングエイド物質の通過を実質的に阻止する。或る実施態様において、バルブはバネ仕掛けのプラグ要素とオリフィスとを含み、各々は共同してシェービングエイド物質の通過を許可又は阻止する。他の実施態様において、バルプは、お互いに係合する第一平面及び第二平面とを含み、平面が係合している間は、容器からのシェービングエイド物質の通過を阻止する。
【０００６】
さらに、本発明はシェービング装置用のバルブを含む。バルブは、剃刀カートリッジに共同して連結するプラグ要素と、プラグ要素を収容するためのオリフィスとを含む。このようなバルブにおいて、剃刀カートリッジは第一位置と第二位置との間を移動し、容器からのシェービングエイド物質の通過を許可し、又は阻止する。或る実施態様において、プラグ要素は軸上のバネ仕掛けのボールであり、第二の実施態様おいては、フラグ要素は第二平面により係合する第一平面であり、平面はスプリングによりバイアスさせることが可能である。
【発明の効果】
【０００７】
シェービングエイド物質を通過させるために、剃刀カートリッジを第一位置と第二位置との間を移動するよう選択的に作動するバルブを有するシェービング装置は、従来技術の同様な装置と比較して、幾つかの利点を有する。第一に、このような装置は、シェービング操作の間、シェービングエイド物質を剃毛面に送出するので、別のステップにおいてシェービングエイド物質を塗布する必要がなくなる。このような適用は、シェービングに要する時間を短縮することが可能である。第二に、シェービングエイド物質を剃刀ハンドルの構造に直接組み込むことができるので、剃刀とシェービングエイド物質とを別々に購入する必要がない。第三に、破棄するシェービング物質を削減できることである。特に、シェービングエイド物質をシェービング装置から剃毛面に直接塗布することで、シェービング操作の終わりに、未使用の多量のシェービングクリームを手に残すことが無くなることである。本発明の上記及びその他の効果は、本発明の詳細な説明を考慮して明らかになるであろう。
【発明を実施するための最良の形態】
【０００８】
シェービング装置の典型的な実施態様、特にシェービングエイド装置からシェービングエイド物質を自動的に送出するシェービング装置の実施態様を、下記に記載する。下記に引用されるシェービング装置は、シェービングエイド準備剤（例えば、シェービングクリーム、ジェル、又は同様の物）を塗布し剃刀刃をあてる前に剃毛面を湿らす、湿式シェービング操作に適していることが好ましい。
【０００９】
図１を参照すると、毛深い表面との接触に応じてシェービングエイド物質を送出するシェービング装置１０が図示されている。シェービング装置１０は、ハンドル１２、ハンドル１２と対を成す又は一体化しているヘッド組立体１４に配置される剃刀カートリッジ１６、剃刀カートリッジ１６に配置される少なくとも一つの剃刀刃１８、シェービング装置１０からシェービングエイド物質の送出を許可又は阻止するために、第一位置と第二位置との間に剃刀カートリッジ１６を選択的に移動するよう作動するバルブとを含む。
【００１０】
ハンドル１２の構造は、シェービングエイド物質を貯蔵する容器を画定することが望ましい。シェービング装置１０の典型的な実施態様として、ハンドル１２は少なくとも一つの壁を含み、壁はシェービング操作を実施している人が握り易い管状構造を画定するよう形成される。ハンドル１２は、快適なシェービング操作を実施する人間工学的な設計を有するよう構成される可能性がある。剃刀カートリッジ１６が装着される端部から末端にあるハンドル１２の端部は、容器にアクセスする開口部を含む可能性がある。開口部は、キャップ２０によりカバーされ、カバーは開口部上に配置し、ハンドル１２上に、下記の多様な機構の一つ又はその組合せにより、保持されることが望ましい。機構は以下に限定されないが、ハンドル１２とキャップ２０との摩擦接触、キャップ２０又はハンドル１２の外面に形成された隆起とハンドル１２の他の外面又はキャップ２０に形成された溝との係合、スレッド手段、又は同等の物を含む。或いは、ハンドルは容器に対するアクセスを阻止するために密閉され、例えば、容器が枯渇した際にシェービング装置１０を破棄できる程度の量のシェービングエイド物質を含む可能性がある。
【００１１】
図２を参照して、バルブの一つの実施態様を含めたシェービング装置１０を示す。バルブは図番２６として示され、オリフィスを介してシェービングエイド物質の流出を選択的に許可又は阻止するプラグ要素を含む。図示されているように、プラグ要素は軸３０に配置するボール２８である。しかし、本発明の当業者は、円盤、平板、及び同等の物を含む他の構成及び形状を、プラグ要素として用いることができることを理解するであろう。ボール２８はスプリング３２によって、容器２３からのシェービングエイド物質の流出方向にバイアスされ、オリフィスが配置されるシート３４と共に作動する。
【００１２】
軸３０はマニフォルド３６に配置し、容器２３と剃毛面にシェービングエイド物質を供給するために剃刀カートリッジ１６に隣接する表面に伸長する導管４６との流体連通を保持する可能性がある。ボール２８から遠位の軸３０の端部は、剃刀カートリッジ１６上の突出部４４と係合し、ピボット位置４２においてハンドル１２に対で連接することにより、剃刀カートリッジ１６は、剃毛面と剃刀カートリッジ１６との接触に応じて、ヘッド組立体１４の開口部内部での移動可能となる。シール要素４０（例えば、図２及び図３にて０リングとして図示されている、又はパッキング、リップシール等）は軸３０に隣接し、軸３０の周辺へのシェービングエイド物質の流出を妨げる。シール要素４０は軸３０と一体化、又は軸３０とは独立した形状をなす。
【００１３】
バルブ２６の操作は軸３０と剃刀カートリッジ１６との連携に依存する。剃刀カートリッジ１６を第一位置から第二位置に移動させることにより、突出部４４は軸３０に対しマニフォルド３６内でボール２８を選択的に設置する又は離脱するよう平行移動し、バルブ２６の断続的な開閉が実施される。バルブ２６の開口（ボール２８の離脱）に伴い、シェービングエイド物質はシート３４により画定されるオリフィスを介してマニフォルド３６に送出され、さらに導管４６に送出される。シェービングエイド物質は導管４６から剃毛面に設置される剃刀カートリッジ１６に分散する。
【００１４】
容器２３からシェービングエイド物質を移動する駆動力は、圧力差による。圧力差は、不活性ガスを使用したシェービングエイド物質の加圧、シェービングエイド準備剤がスプリング−バイアス機構により分配される包装済の挿入可能な容器（図３に図示される）、又は同等の物により、供給される。
【００１５】
図４を参照して、シェービング装置１０のバルブの他の実施態様を図番１２６に示す。バルブ１２６は管１３６とゲート１３８とを含む。本実施態様は管に限定されず、一つ以上の壁を有する密閉導管の他のタイプを含む。管１３６はバルブ１２６を開閉するために弾性的な折り畳み式であり、管１３６を介する流出を選択的に阻止又は許可する。ゲート１３８はスプリング１３９を含み、管１３６に対し、管１３６を密閉した位置に挟むことにより、通常はバイアスするよう作動する。スプリング１３９はリーフタイプスプリングとして示されている。導管１３６を挟む他のスプリング機構を代替的に使用することも可能である。
【００１６】
剃刀カートリッジ１６はピボット式アーム４１の端部又は近隣に装着されるので、剃刀カートリッジ１６は、剃毛面と剃刀カートリッジ１６との接触に応じて、ヘッド組立体１４の開口部内部での移動可能となる。アーム４１は、ゲート１３８と係合する突出部４４と含む。アーム４１（及び連結する突出部４４）のピボット動作により、ゲート１３８はたわみ、管１３６との接触から離れることにより、バルブ１２６は開口し、容器２３からのシェービングエイド物質の流出を許可する。
【００１７】
導管４６はハンドル１２とヘッド組立体１４との内部に配置され、シェービングエイド物質を、バルブ１２６（バルブ１２６の開口に伴い）から剃毛面と接触している剃刀カートリッジ１６の表面に搬送する。導管４６は、バルブ１２６の出口と剃刀カートリッジ１６が移動するヘッド組立体１４内部の開口に隣接するポート４８との間の連通を備えることが好ましい。好ましい実施態様において、シェービングエイド物質はバルブ２６の出口にできるだけ近くで、導管４６に流れることにより、シェービングエイド物質及び突出部４４並びにピボット位置４２との接触とを避ける、又は最小限に抑えることが可能となる。
【００１８】
図示されるように、容器２３はシェービングエイド物質を包装済の形状（例えば、ハンドル１２に手動で挿入できるフォイル又はプラスティック容器）で収容するよう構成される可能性がある。このような実施態様において、容器２３の出口２４は、ハンドル１２に容器を挿入することにより、シェービングエイド物質を含むフォイル又はプラスティック容器を刺すような釘２８を含むことが好ましい。キャップ２０は、シェービングエイド物質を出口２４を介してバルブ１２６に送出する圧力を備えるために、ピストン３０又はスプリング３１によりバイアスされた平板を含むことが望ましい。  
【００１９】
図４を参照して、剃刀カートリッジ１６がピボット形式に装着されているヘッド組立体１４の表面に対するポート４８の設置を示す。６つのポート４８を図示され、ポート４８が剃刀カートリッジ１６の対側に配置されているが、多数のポート４８を剃刀カートリッジ１６の周辺の任意の位置に配置することが可能である。さらに、図示されたポート４８の構成は、図２又は図３に図示したバルブの実施態様に加えて他のバルブに応用できることは理解するべきである。
【００２０】
本発明は、典型的な実施態様について説明されているが、本発明の当業者は、本発明の範囲を逸脱することなく、多様な変更及び代用ができることを理解するであろう。さらに、本発明の本質的な範囲を逸脱することなく、本発明の内容に特定の状況又は物質を適用するように修正することができる。したがって、本発明は、本発明を実施するために考慮された最良の態様に開示された特定の実施態様に限定されるべきでなく、添付された特許請求範囲の全ての実施態様を含む。
【図面の簡単な説明】
【００２１】
【図１】毛深い表面に装置を接触するのに応じて、シェービングエイド物質が送出されるシェービング装置の斜視図である。
【図２】剃刀カートリッジのピボット動作に応じて作動するバルブを示すシェービング装置の断面図である。
【図３】剃刀カートリッジのピボット動作に応じて作動するバルブの他の実施態様を示すシェービング装置の断面図である。
【図４】剃刀カートリッジのピボット動作に応じてシェービングエイド物質を送出するポートを示すシェービング装置のヘッド組立体の平面図である。
【図１】
2007512928.tif 000003
【図２】
2007512928.tif 000004
【図３】
2007512928.tif 000005
【図４】
2007512928.tif 000006
【図５】
2007512928.tif 000007
【図６】
2007512928.tif 000008
【国際調査報告】
2007512928.tif 000009
2007512928.tif 000010
2007512928.tif 000011